(57)【要約】【課題】  ねじを使わず、モジュールなどの実装部品をプリント基板の上面に強固に固定して実装部品とプリント基板との電気的接続の外れを避けることができるプリント基板用固定板及びそれを備えたプリント回路板を提供する。【解決手段】  プリント基板用固定板は、平坦な上面を有する実装部品をプリント基板の上面に固定する固定板であって、平面状をなし、前記実装部品の前記上面の少なくとも一部を覆う平面部と、それぞれ前記平面部の周縁から下へ延出し、前記平面部を前記実装部品の上面から覆う時、前記実装部品の周縁外に位置され、且つ前記プリント基板のそれと対応する位置にあって該基板の上下２面を貫通した通孔を挿入して該通孔と係合することができる複数の係合部とを備えたことを特徴とする。【選択図】  図２
0003108238.tif 000002
【実用新案登録請求の範囲】
【請求項１】
平坦な上面を有する実装部品をプリント基板の上面に固定する固定板であって、
平面状をなし、前記実装部品の前記上面の少なくとも一部を覆う平面部と、
それぞれ前記平面部の周縁から下へ延出し、前記平面部を前記実装部品の上面から覆う時、前記実装部品の周縁外に位置し、且つ前記プリント基板のそれと対応する位置にあって該基板の上下２面を貫通した通孔に挿入されて該通孔と係合することができる複数の係合部とを備えたことを特徴とするプリント基板用固定板。
【請求項２】
平坦な上面を有し、かつその下面が第１のコネクタを介してプリント基板の上面に設けられた第２のコネクタと電気的に接続されたモジュールを更に固定する固定板であって、
平面状をなし、前記モジュールの前記上面の少なくとも一部を覆う平面部と、
それぞれ前記平面部の周縁から下へ延出し、前記平面部を前記モジュールの上面から覆う時、前記モジュールの周縁外に位置し、且つ前記プリント基板のそれと対応する位置にあって該基板の上下２面を貫通した通孔に挿入されて該通孔と係合することができる複数の係合部と、
前記複数の係合部中の少なくとも一つから突出していて、前記複数の係合部がすでに前記基板上の通孔と係合した場合、前記モジュールの下面と前記プリント基板の上面との間にあって前記モジュールを下から支持する支持部とを備えたことを特徴とするプリント基板用固定板。
【請求項３】
平坦な上面を有し、かつその一側辺の下面が第１のコネクタを介してプリント基板の上面に設けられた第２のコネクタと電気的に接続された四辺形のモジュールを更に固定する固定板であって、
前記モジュールの四辺と対応する四辺を有する平面状をなし、前記モジュールの前記上面の前記一側辺以外のすべての部分を覆う平面部と、
それぞれ前記平面部の前記一側辺に対応する辺以外の三辺から下へ延出し、前記平面部を前記モジュールの上面から覆う時、前記モジュールの対応する三辺外に位置し、且つ前記プリント基板のそれと対応する位置にあって該基板の上下２面を貫通した通孔に挿入されて該通孔と係合することができる複数の係合部と、
前記複数の係合部中の前記一側辺と相対する他側辺の方にある係合部から突出し、前記複数の係合部がすでに前記基板上の通孔と係合した場合、前記モジュールの下面と前記プリント基板の上面との間にあって前記モジュールの他側辺あたりを下から支持する支持部とを備えたことを特徴とするプリント基板用固定板。
【請求項４】
前記各係合部は、幅が前記通孔より大であって前記挿入後にも依然として前記通孔の前記上面側にある保持部と、前記挿入後に更に曲げられて前記プリント基板を下から係止することができるように前記通孔の前記下面側に突出する挿入部とを備えたことを特徴とする請求項２または３に記載のプリント基板用固定板。
【請求項５】
前記各挿入部は、縦向き部と横向き部とからなっているＬ字形を呈し、かつ前記通孔内に挿入された場合、前記横向き部が前記通孔から露出し、この時前記横向き部の自由端を曲げて前記プリント基板を下から係止することができることを特徴とする請求項４に記載のプリント基板用固定板。
【請求項６】
前記平面部には、複数の放熱用通孔が形成されていることを特徴とする請求項１〜５のいずれか一項に記載のプリント基板用固定板。
【請求項７】
上下２面を有しかつ前記上面に第２のコネクタが設けられたプリント基板と、平坦な上面を有し、かつその下面が第１のコネクタを介して前記第２のコネクタと電気的に接続したモジュールとを備えているプリント回路板において、
前記請求項１〜６のいずれかの一項に記載のプリント基板用固定板で前記モジュールを前記プリント基板に更に支持固定してなったことを特徴とするプリント回路板。
【考案の詳細な説明】
【技術分野】
【０００１】
本考案は、プリント基板用固定板及びそれを備えたプリント回路板に関し、特にモジュールなどの実装部品をプリント基板の上面に固定するプリント基板用固定板及びそれを備えたプリント回路板に関する。
【背景技術】
【０００２】
従来から、モジュールなど実装部品のプリント基板への電気接続はボードトゥーボード(Board-to-Board)の方式が採用されている。すなわち、図１に示されているように、まず、プリント基板１の上面の所定位置には第１のボードトゥーボードコネクタ（以下、第１のコネクタと略称する）１１が設けられている。四辺形のモジュール２の一側辺２１の下面には、第１のコネクタ１１と電気的に接続する第２のボードトゥーボードコネクタ（以下、第２のコネクタと略称する）２１１が設けられている。
【０００３】
第１のコネクタ１１が一定程度の肉厚を有するので、モジュール２の一側辺２１にある第２のコネクタ２１１を第１のコネクタ１１と接続した後、複数のねじ３でモジュール２の一側辺２１と相対する他側辺２２をプリント基板１に螺合することにより他側辺２２を支持してモジュール２の該両側を水平に保持させると共に、モジュール２を更に固定し、振動や衝突などで第１のコネクタ１１と第２のコネクタ２１１との電気的接続が外れて短絡状態になることを避けようとする。
【考案の開示】
【考案が解決しようとする課題】
【０００４】
しかしながら、上記従来の、複数のねじ３でモジュール２を支持固定する方法では、モジュール２の他側辺２２が固定されるとは言え、一側辺２１にある第２のコネクタ２１１と第１のコネクタ１１との電気的接続はやはり外れる可能性があり、固定効果がまだ理想的とは言えない上、モジュール２の該両側を水平に保持させるよう、ねじ３のねじ合いを行う時、いつもねじ３のねじ込み深さを注意しなければならず、且つねじ込み深さが大きすぎると、モジュール２が割れたり折れたりしてしまう場合もあり、かなり煩雑である。
【０００５】
このような問題に鑑みて、本考案の第１の目的は、ねじを使わずに、モジュールなどの実装部品をプリント基板の上面に強固に固定して実装部品とプリント基板との電気的接続の外れを避けることができるプリント基板用固定板及びそれを備えたプリント回路板を提供しようとすることにある。
【０００６】
本考案の第２の目的は、前記実装部品と前記プリント基板との電気的接続の外の局部的部分だけでなく、それ自体にも更に上から力を受け、その電気的接続の安定性を上げることができるプリント基板用固定板及びそれを備えたプリント回路板を提供しようとすることにある。
【０００７】
本考案の第３の目的は、前記実装部品を前記プリント基板の上面に水平的に支持することができるプリント基板用固定板及びそれを備えたプリント回路板を提供しようとすることにある。
【課題を解決するための手段】
【０００８】
前記目的を達成するために、本考案は、平坦な上面を有する実装部品をプリント基板の上面に固定する固定板であって、平面状をなし、前記実装部品の前記上面の少なくとも一部を覆う平面部と、それぞれ前記平面部の周縁から下へ延出し、前記平面部を前記実装部品の上面から覆う時、前記実装部品の周縁外に位置し、且つ前記プリント基板のそれと対応する位置にあって該基板の上下２面を貫通した通孔に挿入されて該通孔と係合することができる複数の係合部とを備えたことを特徴とするプリント基板用固定板を提供する。
【０００９】
この構成によるプリント基板用固定板は、前記平面部と前記複数の係合部とを備えているため、前記実装部品を上方から覆って更に前記プリント基板に固定する時、前記平面部で前記実装部品を制限し（第１の目的）、特に前記平面部が前記実装部品の平坦な上面に当たって前記実装部品と前記プリント基板との電気的接続を上から押圧する場合、それを一層強固にさせること（第２の目的）ができるので、固定の効果が従来より大幅に高まり、前記実装部品と前記プリント基板との電気的接続の外れを確実に避けることができる。
【００１０】
ここで、前記実装部品とはモジュール、ヒートシンクあるいは、ＣＰＵなどの、平坦な上面を有するものを指す。
【００１１】
また、本考案は、平坦な上面を有し、かつその下面が第１のコネクタを介してプリント基板の上面に設けられた第２のコネクタと電気的に接続されたモジュールを更に固定する固定板であって、平面状をなし、前記モジュールの前記上面の少なくとも一部を覆う平面部と、それぞれ前記平面部の周縁から下へ延出し、前記平面部を前記モジュールの上面から覆う時、前記モジュールの周縁外に位置し、且つ前記プリント基板のそれと対応する位置にあって該基板の上下２面を貫通した通孔に挿入されて該通孔と係合することができる複数の係合部と、前記複数の係合部中の少なくとも一つから突出していて、前記複数の係合部がすでに前記基板上の通孔と係合した場合、前記モジュールの下面と前記プリント基板の上面との間にあって前記モジュールを下から支持する支持部とを備えたことを特徴とするプリント基板用固定板を更に提供する。
【００１２】
この構成によるプリント基板用固定板は、前述のようにモジュールをプリント基板の上面に強固に固定して前記モジュールと前記プリント基板との電気的接続を確保すること（第１乃至第２の目的）ができる上、前記支持部を備えたので、前記モジュールを水平に前記プリント基板の上面に支持すること（第３の目的）ができる。
【００１３】
そして、本考案は、平坦な上面を有し、かつその一側辺の下面が第１のコネクタを介してプリント基板の上面に設けられた第２のコネクタと電気的に接続された四辺形のモジュールを更に固定する固定板であって、前記モジュールの四辺と対応する四辺を有する平面状をなし、前記モジュールの前記上面の前記一側辺以外のすべての部分を覆う平面部と、それぞれ前記平面部の前記一側辺に対応する辺以外の三辺から下へ延出し、前記平面部を前記モジュールの上面から覆う時、前記モジュールの対応する三辺外に位置し、且つ前記プリント基板のそれと対応する位置にあって該基板の上下２面を貫通した通孔に挿入されて該通孔と係合することができる複数の係合部と、前記複数の係合部中の前記一側辺と相対する他側辺の方にある係合部から突出し、前記複数の係合部がすでに前記基板上の通孔と係合した場合、前記モジュールの下面と前記プリント基板の上面との間にあって前記モジュールの他側辺あたりを下から支持する支持部とを備えたことを特徴とするプリント基板用固定板を提供する。
【００１４】
この構成によるプリント基板用固定板は、前記平面部で前記モジュールの前記上面の前記一側辺以外の部分を覆うことができるので、前記モジュールを完全に制限して前記モジュールと前記プリント基板との電気的接続を確保すること（第１および第２の目的）ができる上、前記支持部を備えたので、前記モジュールを水平に前記プリント基板の上面に支持すること（第３の目的）ができる。
【００１５】
そして、前記プリント基板用固定板に基づき、考案者は、プリント回路板を更に提供する。このプリント回路板は、上下２面を有しかつ前記上面に第２のコネクタが設けられたプリント基板と、平坦な上面を有しかつその下面が第１のコネクタを介して前記第２のコネクタと電気的に接続したモジュールとを備えているものであって、前記プリント基板用固定板で前記モジュールを前記プリント基板に更に支持固定してなったことを特徴とする。
【考案の効果】
【００１６】
即ち、本考案のプリント基板用固定板及びそれを備えたプリント回路板は、ねじを使わなく、モジュールなど実装部品を支持すると共にそれをプリント基板に強固に固定することができるので、実装部品とプリント基板との電気的接続を確保することができる。
【考案を実施するための最良の形態】
【００１７】
以下、本考案のプリント基板用固定板及びそれを備えたプリント回路板の好ましい実施形態を詳しく説明する。
【００１８】
図２は本考案のプリント基板用固定板及びそれを備えたプリント回路板の好ましい実施形態を示す分解斜視図であり、図３は図２の組立後の斜視図であり、図４は図３における４−４線の断面図である。
【００１９】
本考案のプリント回路板は、図２〜図４に示されているように、プリント基板４と、プリント基板４と電気的に接続したモジュール５と、モジュール５をプリント基板４に更に支持固定したプリント基板用固定板６とを備えている。
【００２０】
より詳しく説明すると、プリント基板４は、上下２面４１，４２を有し、かつ上面４１の所定位置に第２のボードトゥーボードコネクタ（以下、第２のコネクタと略称する）４３が設けられている。また、該プリント基板４には、その上下２面４１，４２を貫通した複数の下記のような通孔４４が開けてある。
【００２１】
モジュール５は、平坦な上面を有し、かつその一側辺５１の下面に第２のコネクタ４３と電気的に接続した第１のボードトゥーボードコネクタ（以下、第１のコネクタと略称する）５１１が設けられている。
【００２２】
本実施形態において前記モジュール５の形状は、前記一側辺５１と前記一側辺５１と相対している他側辺５２を有する四辺形である。
【００２３】
プリント基板用固定板６は、金属材により平面部７と複数の係合部８と複数の支持部９とを有するように一体成形されている。
【００２４】
平面部７は、モジュール５の四辺と対応する四辺を有する平面状であって、モジュール５の上面の前記一側辺５１以外のすべての部分を覆っている。また、平面部７には、複数の放熱用通孔７１が形成されている。
【００２５】
複数の係合部８は、それぞれ平面部７の前記一側辺５１に対応する辺の以外の三辺から下へ延長していて、平面部７をモジュール５の上面から覆う時、モジュール５の対応の三辺外に位置され、且つプリント基板４のそれと対応する位置にあって該基板４の上下２面を貫通した複数の通孔４４をそれぞれ挿入して該通孔４４と係合している。
【００２６】
詳細に説明すると、前記各係合部８は、幅が通孔４４より大であって前記挿入後にやはり通孔４４の上面側にある保持部８１と、幅が通孔４４より小であって前記挿入後に通孔４４の下面側に突出する挿入部８２とからなった。
【００２７】
また、前記各挿入部８２は、本実施形態においては縦向き部８２１と横向き部８２２とからなっているＬ字形を呈している。各挿入部８２が通孔４４内に挿入された場合、図４に示されているように、横向き部８２２が通孔４４から露出している。また、図５に示されているように、複数の係合部８のそれぞれの挿入部８２の横向き部８２２の自由端は曲げられてプリント基板４を下から係止している。
【００２８】
そして、前記複数の支持部９は、複数の係合部８中の他側辺５２の方にある係合部８の保持部８１の左右両端からそれぞれ突出してモジュール５の他側辺５２の下面とプリント基板４の上面４１との間にあってモジュール５の他側辺あたりを下から支持している。
【００２９】
以下、プリント基板用固定板６のモジュール５及びプリント基板４へ取付けを説明する。
【００３０】
まず、このプリント基板用固定板６の複数の支持部９をモジュール５の他側辺５２の下面とプリント基板４の上面４１との間に挿入し、そして複数の係合部８をプリント基板４に形成された対応の通孔４４内にそれぞれ挿入して図４に示されているように複数の横向き部８２２を露出させ、次に図５に示されているように各横向き部８２２の自由端を曲げてプリント基板４を下から係止することにより、モジュール５を水平にプリント基板４に支持固定することができる。
【００３１】
プリント基板用固定板６はモジュール５の一側辺５１以外の部分を完全に覆っているので、モジュール５の第１のコネクタ５１１とプリント基板４の第２のコネクタ４３との間の電気接続を確保することができる。また、平面部７には複数の放熱用通孔７１が形成されているので、モジュール５の放熱に役立つ。
【００３２】
以上説明した実施の形態は、あくまでも本考案の技術的内容を明らかにする意図のものにおいてなされたものであり、本考案はそうした具体例に限定して狭義に解釈されるものではなく、本考案の精神と実用新案登録請求の範囲に述べられた範囲で、いろいろと変更して実施できるものである。
【００３３】
例えば、前述した実施形態においては、プリント基板用固定板でモジュールを支持固定するものを例として説明しているが、それに限ることなく、プリント基板用固定板でヒートシンク、ＣＰＵなどの実装部品を支持固定するようにしてもよい。また、プリント基板用固定板の数は一個に限ることなく、複数個であってもよい。
【００３４】
そして、実施形態において横向き部の自由端だけを曲げることでプリント基板を下から係止しているが、それに限ることなく、横向き部全体を曲げてプリント基板と当接係止させてもよい。また、実施形態においては、プリント基板用固定板が複数の支持部を備えているが、それに限らず、一つの支持部しか備えなくても良い。支持部の設置位置は他側辺の方に限らず、他の位置にあってもよい。
【産業上の利用可能性】
【００３５】
本考案のプリント基板用固定板及びそれを備えたプリント回路板は、モジュールなど実装部品をプリント基板に固定して当該実装部品とプリント基板との電気接続を確保することができる上、モジュールなど実装部品を水平に支持することができる。                                                                     
【図面の簡単な説明】
【００３６】
【図１】従来の、モジュールをプリント基板へ固定する方法を示す斜視図である。
【図２】本考案のプリント基板用固定板及びそれを備えたプリント回路板の好ましい実施形態を示す分解斜視図である。
【図３】図２の組立後の斜視図である。
【図４】図３における４−４線の断面図である。
【図５】前記実施形態における横向き部の自由端が曲げられた後の斜視図である。
【符号の説明】
【００３７】
４        プリント基板
４１      上面
４２      下面
４３      第２のコネクタ
４４      通孔
５        モジュール
５１      一側辺
５１１    第１のコネクタ
５２      他側辺
６        プリント基板用固定板
７        平面部
７１      放熱用通孔
８        係合部
８１      保持部
８２      挿入部
８２１    縦向き部
８２２    横向き部
９        支持部
【図１】
0003108238.tif 000003
【図２】
0003108238.tif 000004
【図３】
0003108238.tif 000005
【図４】
0003108238.tif 000006
【図５】
0003108238.tif 000007